(57)【要約】  【課題】  省電力状態時に操作されたキーを省電力状態の解除以外の機能に有効とするか否かをユーザが事前に設定可能とすることにより、操作性の向上を図れる電子機器を提供する。  【解決手段】  省電力状態時にキーが操作されると、省電力状態から元の通常状態に復帰する機能を果たすとともに、その操作されたキー固有の設定を有効とすることができる。この省電力状態時における省電力状態の解除機能以外の有効性の情報（省電力状態の解除機能以外の機能も果たすか否か）は、操作部５の一部または全部のキーに対応付けて、ＲＡＭ７に記憶されている。操作部５のキーには、省電力状態時に入力操作された場合に省電力状態の解除機能と自身固有の設定機能とを果たすキー（テンキーなど）と、省電力状態時に入力操作された場合に省電力状態の解除機能のみを果たして自身固有の設定機能は行わないキー（スタートキー、ストップキーなど）とが存在する。【選択図】      図１
2006146593.tif 000002
【特許請求の範囲】
【請求項１】
夫々が特定の動作を設定するための複数のキーを有しており、前記複数のキーの何れかのキーの入力によって省電力状態を解除する電子機器において、前記複数のキーの一部または全部に対応付けて、省電力状態の解除以外の各キー特定の動作設定の有効性を記憶する第１記憶手段と、省電力状態時にキー入力があった場合、前記第１記憶手段の記憶内容に基づいて、省電力状態解除後の動作を制御する制御手段とを備えることを特徴とする電子機器。
【請求項２】
前記対応付けられている複数のキーの一部を排他キーとして記憶する第２記憶手段を備えており、省電力状態時に排他キーとして記憶されているキーの入力があった場合、前記第１記憶手段の記憶内容にかかわらず、省電力状態を解除して待機状態とするように構成してあることを特徴とする請求項１記載の電子機器。
【請求項３】
夫々が特定の動作を設定するための複数のキーを有しており、前記複数のキーの何れかのキーの入力によって省電力状態を解除する電子機器において、前記複数のキー夫々に対して、省電力状態時にキー入力があった場合に、省電力状態の解除と自身特定の動作設定とを行うようにした第１種キー、または、省電力状態時にキー入力があった場合に、省電力状態は解除して自身特定の動作設定は行わないようにした第２種キーの指定を受け付ける受付手段と、省電力状態時に前記第１種キーの入力があった場合、省電力状態の解除とキー特定の動作設定とを行い、省電力状態時に前記第２種キーの入力があった場合、省電力状態を解除するように制御する制御手段とを備えることを特徴とする電子機器。
【発明の詳細な説明】
【技術分野】
【０００１】
本発明は、省電力状態（省エネ状態）の設定／解除を行える電子機器に関するものである。
【背景技術】
【０００２】
複写機、ファクシミリ装置、スキャナ装置、プリンタ装置、または、複写機能，ファクシミリ機能，スキャナ機能，プリンタ機能を併せ持った複合機（ファクシミリ複合装置）などの電子機器にあっては、操作パネルから一定時間にわたってキー入力操作がなされない場合、または操作パネルの省エネキーが操作された場合、省電力状態（省エネ状態）となって、液晶表示パネル（ＬＣＤパネル）のバックライトを消灯することが行われている。
【０００３】
そして、省電力状態にあるこのような電子機器に対して複写処理，ファクシミリ送信処理などの動作を行う場合、ユーザは、省電力状態を解除して通常状態に戻るためのキー操作を行い、液晶表示パネルのバックライトを再点灯させて通常状態に復帰させた後に、所望の動作を実施するために必要なキー操作を行っている。この際、ユーザの利便性向上を図るために、操作パネルの全てのキーを省電力状態を解除するための解除キーとして使用できるようにしている。つまり、省電力状態においては、操作パネルのどのキーをユーザが操作しても、省電力状態から通常状態に復帰することができるようになっている（例えば、特許文献１，２参照）。
【特許文献１】特開平８−１６２８４号公報
【特許文献２】特開２００１−１４０７０号公報
【発明の開示】
【発明が解決しようとする課題】
【０００４】
省電力状態において、あるキーの入力操作がなされた場合、通常状態に復帰させるためのキー操作か、特定の処理動作を実行させるためのキー操作かが電子機器側では判断できないため、上述したように、何れかのキー操作か行われたときには通常状態に復帰するようにしている。
【０００５】
しかしながら、ユーザによっては、今から所望の処理動作を実行しようとしてキーを操作したにもかかわらず、そのキー操作によって省電力状態から元の通常状態に戻るだけであって、自分が意図しない状態変化（通常状態への復帰）が発生して混乱を招くという問題がある。
【０００６】
本発明は斯かる事情に鑑みてなされたものであり、省電力状態時に操作されたキーを省電力状態の解除以外の機能に有効とするか否かをユーザが事前に指定可能とすることにより、上述したような混乱を招くことがなく、ユーザの期待通りの動作を行えて、ユーザの操作性の向上を図れる電子機器を提供することを目的とする。
【０００７】
本発明の他の目的は、省電力状態の解除と自身特定の動作設定とを行う第１種キーと、省電力状態の解除のみを行う第２種キーとに区分けすることにより、ユーザの利便性の向上を図れる電子機器を提供することを目的とする。
【課題を解決するための手段】
【０００８】
請求項１に係る電子機器は、夫々が特定の動作を設定するための複数のキーを有しており、前記複数のキーの何れかのキーの入力によって省電力状態を解除する電子機器において、前記複数のキーの一部または全部に対応付けて、省電力状態の解除以外の各キー特定の動作設定の有効性を記憶する第１記憶手段と、省電力状態時にキー入力があった場合、前記第１記憶手段の記憶内容に基づいて、省電力状態解除後の動作を制御する制御手段とを備えることを特徴とする。
【０００９】
請求項１にあっては、省電力状態時に入力操作された場合、省電力状態の解除に加えて更に自身特定の動作を設定するかの有効性を、複数のキーに対応付けて登録しておき、省電力状態時にキー操作が行われた場合、その登録内容に基づいて、省電力状態の解除後に更にそのキー自身特定の動作設定を行うか否かを制御する。よって、その有効性が登録されている場合、省電力状態時にユーザが所望の処理動作を実行しようとしてキーを操作したときに、省電力状態から通常状態への復帰動作に続いてその所望の処理動作がなされるため、ユーザは混乱を招くことがない。
【００１０】
請求項２に係る電子機器は、請求項１において、前記対応付けられている複数のキーの一部を排他キーとして記憶する第２記憶手段を備えており、省電力状態時に排他キーとして記憶されているキーの入力があった場合、前記第１記憶手段の記憶内容にかかわらず、省電力状態を解除して待機状態とするように構成してあることを特徴とする。
【００１１】
請求項２にあっては、排他キーとして記憶されているキーが省電力状態時に入力操作された場合、有効性の登録の有無にはかかわらず、省電力状態の解除のみを行って待機状態とする。よって、ユーザが意図しない動作が行われることを防止する。
【００１２】
請求項３に係る電子機器は、夫々が特定の動作を設定するための複数のキーを有しており、前記複数のキーの何れかのキーの入力によって省電力状態を解除する電子機器において、前記複数のキー夫々に対して、省電力状態時にキー入力があった場合に、省電力状態の解除と自身特定の動作設定とを行うようにした第１種キー、または、省電力状態時にキー入力があった場合に、省電力状態は解除して自身特定の動作設定は行わないようにした第２種キーの指定を受け付ける受付手段と、省電力状態時に前記第１種キーの入力があった場合、省電力状態の解除とキー特定の動作設定とを行い、省電力状態時に前記第２種キーの入力があった場合、省電力状態を解除するように制御する制御手段とを備えることを特徴とする。
【００１３】
請求項３にあっては、省電力状態の解除と自身特定の動作設定とを行うようにした第１種キーか、省電力状態は解除するが自身特定の動作設定は行わないようにした第２種キーかを、各キー毎にユーザは指定する。よって、各キーについて省電力状態の解除時の機能の設定を変更できるため、操作性は向上してユーザの利便性は高くなる。
【発明の効果】
【００１４】
本発明では、省電力状態時にキー操作された場合に、省電力状態の解除に加えて更にそのキー自身特定の動作設定を行えるようにしたので、省電力状態時にユーザが所望の処理動作を実行しようとしてキーを操作した場合に、省電力状態から通常状態への復帰動作に続いてその所望の処理動作を行えるため、ユーザに混乱を招かせることがなく、ユーザの操作性を向上することができる。
【００１５】
本発明では、排他キーであるキーが省電力状態時に入力操作された場合、省電力状態の解除のみを行って待機状態とするようにしたので、ユーザが意図しない動作が行われることを防止することができる。
【００１６】
本発明では、省電力状態の解除と自身特定の動作設定とを行う第１種キーか、省電力状態は解除するが自身特定の動作設定は行わない第２種キーかを、各キー毎にユーザは指定できるようにしたので、ユーザの利便性を高くすることができる。
【発明を実施するための最良の形態】
【００１７】
以下、本発明をその実施の形態を示す図面を参照して具体的に説明する。図１は、本発明の電子機器としての複合機（ファクシミリ複合装置）２０の構成を示すブロック図である。複合機２０は、本来のファクシミリ機能，複写機能に加えて、ＰＣからネットワークを介して電子メールを受信する機能、及び、その入力データをプリントアウトするプリンタ機能を備えた機能複合型のファクシミリ装置である。
【００１８】
複合機２０は、制御部１，読取部２，記録部３，表示部４，操作部５，ＲＯＭ６，ＲＡＭ７，画像メモリ８，モデム９，ＮＣＵ（Network Control Unit）１０，ＰＣインタフェース部１１などを備えている。
【００１９】
制御手段としての制御部１は、具体的にはＣＰＵで構成されており、バス１２を介して複合機２０の上述したようなハードウェア各部と接続されていて、それらを制御すると共に、ＲＯＭ６に格納された制御プログラムに従って、種々のソフトウェア的機能を実行する。読取部２は、例えばＣＣＤを利用した光学系で原稿を読み取り、読み取った画像データを出力する。
【００２０】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。表示部４は、液晶表示装置からなる表示装置であり、複合機２０の動作状態を表示したり、ユーザへ入力操作を促す画面またはユーザへ警告を発する画面を表示したりする。
【００２１】
操作部５は、複合機２０を操作するために必要な文字キー，テンキー，短縮ダイヤルキー，ワンタッチダイヤルキー，各種のファンクションキーなどを備えている。図２は、操作部５を構成する操作パネル３０の構成例を示す模式図である。操作パネル３０には、各種のキー群が配置されており、処理開始を指示するためのスタートキー２１、実行中の処理を中断させるためのストップキー２２、指示したモードの内容をクリアするためのクリアキー２３、複写枚数，ファクシミリ番号などを指示するためのテンキー２４、モード（プリント，ファクシミリ，コピー）を切り替えるためのモードキー２５ａ，２５ｂ，２５ｃ、省電力状態に設定するための省エネキー２６などが含まれる。なお、表示部４をタッチパネル方式とすることにより、つまり図２の操作パネル３０に表示部４を組み込ませることにより、操作部５の各種のキーの内の一部または全部を代用することも可能である。      
【００２２】
ＲＯＭ６は、複合機２０の動作に必要な種々のソフトウェアの制御プログラムを格納する。ＲＡＭ７は、ソフトウェアの実行時に発生する一時的なデータを記憶する。画像メモリ８は、ＤＲＡＭ等で構成され、原稿を読み取って得られる画像データ、他のファクシミリ装置またはＰＣから受信した画像データなどを記憶する。
【００２３】
モデム９は、バス１２に接続されており、ファクシミリ通信が可能なファクシミリモデムから構成されている。また、モデム９は、同様にバス１２に接続されたＮＣＵ１０と直接的に接続されている。ＮＣＵ１０は、公衆電話回線網（ＰＳＴＮ：Public Switched Telephone Network)との回線Ｌ１の閉結及び開放の動作を行うハードウェアであり、必要に応じてモデム９をＰＳＴＮと接続する。そして、複合機２０は、ＰＳＴＮによって他のファクシミリ装置と接続されており、通常のファクシミリ通信が行えるようになっている。ＰＣインタフェース部１１は、ＬＡＮ（Local Area Network），インターネット等の通信線Ｌ２を介して外部のＰＣに接続されており、ＰＣとの間でデータのやりとりを行う。
【００２４】
本発明の複合機２０には、通常状態と省電力状態（省エネ状態）とが存在し、通常状態において操作部５によるキー入力操作が所定時間ない場合、または、通常状態において操作部５の省エネキー２６が操作された場合に、通常状態から省電力状態に切り替わる。この省電力状態にあっては、表示部４である液晶表示装置のバックライトが消灯される。省電力状態時に、操作部５の何れかのキーが入力操作された場合、省電力状態から元の通常状態に復帰する。
【００２５】
このキー入力操作時において、省電力状態から元の通常状態に復帰する機能を果たすとともに、その操作されたキー特定の動作設定を有効とすることができる。この省電力状態時における省電力状態の解除機能以外の有効性の情報（省電力状態の解除機能以外の機能も果たすか否か）は、操作パネル３０の一部または全部のキーに対応付けて、第１記憶手段として機能するＲＡＭ７に記憶されている。このような一部または全部のキーに対応付けた省電力状態の解除機能以外の有効性の有無は、操作部５を介して設定可能である。
【００２６】
この場合、排他キーを第２記憶手段として機能するＲＡＭ７に記憶しておき、排他キーとして登録されているキーが入力操作された場合には、ＲＡＭ７に記憶されている有効性の情報にはかかわらず、省電力状態の解除機能のみを果たして待機状態とする（自身特定の設定機能は行わない）ようにすれば、省電力状態の解除機能以外の有効性が登録されている場合にあっても、特定のキーについてはそれを無効とすることができる。
【００２７】
省電力状態から通常状態への復帰のためにスタートキー２１が入力操作された場合、例えば複写モードに設定されていて間違って空コピーされないように、スタートキー２１は排他キーとして登録する。省電力状態から通常状態への復帰のためにストップキー２２が入力操作された場合、例えばプリントモードに設定されていてプリント処理が中断されないように、ストップキー２２は排他キーとして登録する。省電力状態から通常状態への復帰のためにクリアキー２３が入力操作された場合、誤ってモード内容がクリアされないように、クリアキー２３は排他キーとして登録する。省電力状態から通常状態への復帰のために省エネキー２６が入力操作された場合、再び省電力状態にならないように、省エネキー２６は排他キーとして登録する。基本的には、そのキー入力操作だけで待機状態から次の動作が直接決定されるようなキーは、排他キーとすることが望ましい。
【００２８】
以下、動作について説明する。図３は、本発明の複合機２０におけるキー入力操作に伴う動作手順の一例を示すフローチャートである。
【００２９】
制御部１は、操作パネル３０の何れかのキーが操作されたことを検知する（ステップＳ１）。制御部１は、現在の状態が省電力状態であるか否かを判断する（ステップＳ２）。省電力状態でない場合（Ｓ２：ＮＯ）、つまり通常状態である場合に、操作されたキーに応じた通常の動作処理を行って（ステップＳ８）、動作は終了する。
【００３０】
現在の状態が省電力状態である場合（Ｓ２：ＹＥＳ）、制御部１は、液晶表示装置（表示部４）のバックライトを点灯させて（ステップＳ３）、省電力状態を解除して元の通常状態に復帰させる（ステップＳ４）。
【００３１】
次いで、制御部１は、省電力状態の解除機能以外の有効性がＲＡＭ７に登録されているか否かを判断する（ステップＳ５）。有効性が登録されていない場合には（Ｓ５：ＮＯ）、特別な処理を行うことなく待機状態を維持して、動作は終了する。
【００３２】
省電力状態の解除機能以外の有効性が登録されている場合（Ｓ５：ＹＥＳ）、制御部１は、操作されたキーが排他キーとしてＲＡＭ７に登録されているか否かを判断する（ステップＳ６）。登録されている場合には（Ｓ６：ＹＥＳ）、特別な処理を行うことなく待機状態を維持して、動作は終了する。
【００３３】
一方、操作されたキーが排他キーとして登録されていない場合（Ｓ６：ＮＯ）、制御部１は、操作されたキー特定の動作設定を受け付けた後に（ステップＳ７）、動作は終了する。
【００３４】
このような動作手順にあっては、特定のキーについて省電力状態の解除機能以外の有効性を登録しておけば、省電力状態においてそのキーを入力操作することにより、省電力状態が解除されて通常状態に復帰されるとともに、そのキー固有の動作状態を設定することが可能となる。例えば、テンキー２４を有効としてＲＡＭ７に登録しておく場合には、省電力状態時にテンキー２４の「５」を入力操作することによって、省電力状態を解除して通常状態へ復帰できるとともに、複写部数としての「５」も併せて設定することが可能である。この結果、「５部」を設定するためのキー入力操作を行ったユーザの期待通りの動作を行うことができて、ユーザが混乱を招くことはない。
【００３５】
上述した実施の形態では、操作パネル３０の一部または全部のキーに対応付けて省電力状態の解除機能以外の有効性を設定するようにしたが、操作パネル３０のキーを、省電力状態時に入力操作された場合に省電力状態の解除機能と自身特定の設定機能を果たすキー（第１種キー）と、省電力状態時に入力操作された場合に省電力状態の解除機能のみを果たして自身特定の設定機能は行わないキー（第２種キー）とに分けて指定することも可能である。例えば、図２に示す例では、テンキー２４、モードキー２５ａ，２５ｂ，２５ｃは第１種キーとして指定され、スタートキー２１、ストップキー２２、クリアキー２３、省エネキー２６は第２種キーとして指定されている。これらのスタートキー２１、ストップキー２２、クリアキー２３、省エネキー２６を第２種キーとして指定している理由は、これらを排他キーとして登録する場合の上述した理由と同じである。つまり、そのキー入力操作だけで待機状態から次の動作が直接決定されるようなキーは、第２種キーと指定することが望ましい。
【００３６】
どのキーを、第１種キーとして指定するか、または第２種キーとして指定するかを、ユーザは、受付手段として機能する操作部５を介して任意に設定可能である。この場合、全てのキーについて１つずつ順次第１種キーか、第２種キーかを指定することが可能である。また、これとは異なり、全てのキーが第１種キー（または第２種キー）に予め初期設定されており、第２種キー（または第１種キー）に変更するキーのみを操作部５を介して指定することも可能である。後者の例の方が、前者の例に比べて操作性は高い。また、一旦指定されている任意のキーに対して、第１種キーから第２種キーへの変更、またはこれと逆の変更も、操作部５を介して行える。
【００３７】
図４は、本発明の複合機２０におけるキー入力操作に伴う動作手順の他の例を示すフローチャートである。
【００３８】
制御部１は、操作パネル３０の何れかのキーが操作されたことを検知する（ステップＳ１１）。制御部１は、現在の状態が省電力状態であるか否かを判断する（ステップＳ１２）。省電力状態でない場合（Ｓ１２：ＮＯ）、つまり通常状態である場合に、操作されたキーに応じた通常の動作処理を行って（ステップＳ１７）、動作は終了する。
【００３９】
現在の状態が省電力状態である場合（Ｓ１２：ＹＥＳ）、制御部１は、液晶表示装置（表示部４）のバックライトを点灯させて（ステップＳ１３）、省電力状態を解除して元の通常状態に復帰させる（ステップＳ１４）。
【００４０】
次いで、制御部１は、操作されたキーが第１種キーとして指定されているか否かを判断する（ステップＳ１５）。第１種キーとして指定されていない場合（Ｓ１５：ＮＯ）、つまり第２種キーとして指定されている場合には、特別な処理を行うことなく待機状態を維持して、動作は終了する。
【００４１】
操作されたキーが第１種キーとして指定されている場合（Ｓ１５：ＹＥＳ）、制御部１は、操作されたキー特定の動作設定を受け付けた後に（ステップＳ１６）、動作は終了する。
【００４２】
このような動作手順にあっても、例えば、テンキー２４を第１種キーとして指定しておく場合には、省電力状態時にテンキー２４の「５」を入力操作することによって、省電力状態を解除して通常状態へ復帰できるとともに、複写部数としての「５」も併せて設定することが可能である。この結果、「５部」を設定するためのキー入力操作を行ったユーザの期待通りの動作を行うことができて、ユーザが混乱を招くことはない。
【００４３】
なお、電子機器の例として複合機２０について説明したが、通常状態／省電力状態の切替えが可能な複写機、ファクシミリ装置、スキャナ装置、プリンタ装置についても本発明を同様に適用できることは勿論である。
【図面の簡単な説明】
【００４４】
【図１】本発明の複合機の構成を示すブロック図である。
【図２】操作パネルの構成例を示す模式図である。
【図３】本発明の複合機におけるキー入力操作に伴う動作手順の一例を示すフローチャートである。
【図４】本発明の複合機におけるキー入力操作に伴う動作手順の他の例を示すフローチャートである。
【符号の説明】
【００４５】
１  制御部（制御手段）
４  表示部
５  操作部（受付手段）
６  ＲＯＭ
７  ＲＡＭ（第１記憶手段，第２記憶手段）
２０  複合機（電子機器）
２１  スタートキー
２２  ストップキー
２３  クリアキー
２４  テンキー
２５ａ，２５ｂ，２５ｃ  モードキー
２６  省エネキー
３０  操作パネル
【図１】
2006146593.tif 000003
【図２】
2006146593.tif 000004
【図３】
2006146593.tif 000005
【図４】
2006146593.tif 000006